(57)【要約】【課題】  常に安定して頭部に保持・固定することができる頭部装着具を提供する。【解決手段】  頭部装着具は、装着者の顔及び頭部の一部を覆う面本体１、装着者の頭部に面を固定するための紐状部材３、及び紐状部材３を取り付けるために面本体１の内側に設けられた構造体２によって構成されている。構造体２は、面本体１における装着者の頭部の左右の頬骨又はその周辺部分を覆う位置の内側１ｂに、少なくとも左右それぞれ１か所ずつ設けている。  紐状部材３は、紐状の部材であり、構造体２の挿通部２１に一端が挿通されて、構造体２に取り付けられている。紐状部材３は、装着者の後頭部に回り込んだ他端同士が結ばれることで、頭部に締結される。構造体２は、装着者の頭部の左右の頬骨又はその周辺部分と接触しないよう装着者の頭部の左右の頬骨又はその周辺部分を覆う位置の面本体１の内側と装着者の頭部との間に形成された間隙に配置されている。【選択図】図１
2015096658.tif 000002
【特許請求の範囲】
【請求項１】
装着者の顔及び頭部の一部を覆い、前記頭部に紐状部材で固定される頭部装着具において、
前記頭部の左右の頬骨又はその周辺部分を覆う位置の内側に、前記紐状部材が取り付けられた構造体が設けられ、
前記頭部の左右の頬骨又はその周辺部分を覆う位置の内側と前記頭部との間には間隙が形成され、
前記構造体は、前記頭部の左右の頬骨又はその周辺部分と接触しないよう前記間隙に配置されていることを特徴とする頭部装着具。
【請求項２】
前記構造体は金属製であることを特徴とする請求項１に記載の頭部装着具。
【請求項３】
前記紐状部材は、前記構造体の挿通部に挿通されて、前記構造体に取り付けられていることを特徴とする請求項１又は２に記載の頭部装着具。
【請求項４】
前記構造体は、前記頭部装着具と一体に形成されていることを特徴とする請求項１〜３の何れかに記載の頭部装着具。
【請求項５】
前記構造体は、環状に形成されていることを特徴とする請求項１〜４の何れかに記載の頭部装着具。
【発明の詳細な説明】
【技術分野】
【０００１】
本発明は、頭部に装着される頭部装着具に関するものである。
【背景技術】
【０００２】
従来、演劇等において、主に演劇者が人物や動物などの顔を模した面を使うことが知られている。
【０００３】
その構成は、面の構造は装着時、顔全面及び頭部の一部を覆うような構造で、面には装着する者の視界や呼吸を確保するための孔が設けられ、面の外側は人物や動物などの顔を模したデザインとなっている。
【０００４】
例えば、下記の特許文献１では、本体１のキャラクターの頬近傍に相当する両側部に留め具１３を設け、各留め具１３に連結部３を固定している。連結部３は、支持体２の孔内を挿通させた上で両端を留め具１３に固定することで輪状に形成されている。
【０００５】
面は通常、頭頂部から被れるよう人の頭の大きさよりも大きめに作られているため、装着後、面と頭部の間にはどうしても隙間できてしまい、そのままでは面を安定的に保持・固定することはできないという問題があった。
【０００６】
このため、図７に示すように、面の内側に例えばスポンジなどの緩衝部材４を設けることも考えられる。この方法では、面を装着した際、頭部と面との隙間を緩衝部材４が埋めることで、面を保持・固定することができる。
【０００７】
また別の方法として、図８に示すように、面の縁端部左右一か所に紐５を設けることも考えられる。この方法では、面を装着後紐５を後頭部に回し、互いの紐５を交えて結わえることで、面を保持・固定することができる。
【先行技術文献】
【特許文献】
【０００８】
【特許文献１】特開２００９−１１２５８１号公報
【発明の概要】
【発明が解決しようとする課題】
【０００９】
しかしながら、従来の方法では以下の問題点がある。
【００１０】
面の内側に緩衝部材を設ける方法では、緩衝部材４であるスポンジが経年劣化により緩衝機能が失われることで再び隙間ができてしまい、激しい動きをした場合等に面がずれてしまう問題がある。
【００１１】
また面の縁端部左右一か所に紐５を設ける方法では、面と頭部側面との間には空隙があるため、十分に固定することができず、激しい動きをした場合等に面がずれてしまう問題がある。
【００１２】
本発明は、このような課題に着目してなされたものであって、主たる目的は、装着後に頭部から外れたり位置ずれを起こすことなく、安定して頭部に保持・固定できる頭部装着具を提供することにある。
【課題を解決するための手段】
【００１３】
本発明は、かかる目的を達成するために、次のような手段を講じたものである。
【００１４】
すなわち、本発明に係る頭部装着具は、装着者の顔及び頭部の一部を覆い、前記頭部に紐状部材で固定される頭部装着具において、前記頭部の左右の頬骨又はその周辺部分を覆う位置の内側に、前記紐状部材が取り付けられた構造体が設けられ、前記頭部の左右の頬骨又はその周辺部分を覆う位置の内側と前記頭部との間には間隙が形成され、前記構造体は、前記頭部の左右の頬骨又はその周辺部分と接触しないよう前記間隙に配置されていることを特徴とする。
また、本発明は、前記構造体は金属製であることを特徴とする。
また、本発明は、前記紐状部材は、前記構造体の挿通部に挿通されて、前記構造体に取り付けられていることを特徴とする。
また、本発明は、前記構造体は、前記頭部装着具と一体に形成されていることを特徴とする。
また、本発明は、前記構造体は、環状に形成されていることを特徴とする。
【発明の効果】
【００１５】
このように本発明によれば、装着者の頭部の左右の頬骨又はその周辺部分を覆う位置の内側に構造体が取り付けられているので、頭部装着具が拘束具を介して頭部に確実に固定・保持されることになる。また、緩衝部材を用いずに頭部装着具を頭部に固定できるので、緩衝部材の緩衝機能が失われて面がずれ易くなるのも防止できる。このため、装着後に頭部から外れたり位置ずれを起こすことなく、安定して頭部に保持・固定できる頭部装着具を提供することができる。
【図面の簡単な説明】
【００１６】
【図１】本発明の一実施形態の頭部装着具を示す正面図である。
【図２】図１の頭部装着具を示す斜視図である。
【図３】図１の頭部装着具を示す側面図である。
【図４】図１の頭部装着具を示す背面図である。
【図５】図１の頭部装着具が備える構造体を示す図である。
【図６】図４の構造体の変形例を示す図である。
【図７】従来の頭部装着具の固定方法を示した第１の図である。
【図８】従来の頭部装着具の固定方法を示した第２の図である。
【発明を実施するための形態】
【００１７】
以下、本発明の一実施形態を、図面を参照して説明する。
【００１８】
本実施形態の頭部装着具は、お面であり、図１，図２，図３，及び図４に示すように、装着者の顔及び頭部の一部を覆う面本体１、装着者の頭部に面を固定するための紐状部材３、及び紐状部材３を取り付けるために面本体１の内側１ｂに設けられた構造体２によって構成されている。なお、「頭部」とは首より上の部分を指し、「頭部に装着する」とは本体を顔面に装着する場合と頭頂部から被るように装着する場合とが含まれる。
【００１９】
本実施形態では、面本体１は、薄板状の合成樹脂で形成されている。なお、面本体１の材質は合成樹脂に限られず、例えば紙で面本体１を形成する等適宜変更可能である。面本体１は、装着者の頭部の左右の頬骨又はその周辺部分を覆う位置の内側と装着者の頭部との間に間隙が形成される形状に形成されている。
【００２０】
また、面本体１の外形（輪郭）は、図示しないキャラクターの顔の輪郭線に沿った形状としている。そして、面本体１の外側１ａには、キャラクターの顔（目や鼻等）がデザインされている。また、頭部装着具を装着する者の視界や呼吸を確保するための孔が前述のデザインが損なわれない程度に設けられている（図示せず）。
【００２１】
構造体２は、面本体１における装着者の頭部の左右の頬骨又はその周辺部分を覆う位置の面本体１の内側１ｂに、少なくとも左右それぞれ１か所ずつ設けている。
【００２２】
構造体２は、金属製であり、図５に示すように、紐状部材３を通すための挿通部２１を備えた四角リング状に形成されている。構造体２は、装着時や装着後に装着者の頬に接触することがない大きさに形成されている。つまり、構造体２は、装着者の頭部の左右の頬骨又はその周辺部分と接触しないよう、装着者の頭部の左右の頬骨又はその周辺部分を覆う位置の面本体１の内側と装着者の頭部との間に形成された間隙に配置されている。なお、構造体２の材質は、容易に破損しないものであれば良く、例えば金属製やプラスチック製とする等、適宜選択可能である。
【００２３】
紐状部材３は、紐状の部材であり、一端が構造体２の挿通部２１に挿通されて折り返されて紐状部材３に縫い付けられることで、構造体２が挿通される環状部分が形成されている。紐状部材３は、上記環状部分に構造体２が挿通されることで、構造体２に取り付けられている。紐状部材３は、装着者の後頭部に回り込んだ他端同士が結ばれることで、頭部に締結される。このとき、構造体２は、頭部の左右の頬骨又はその周辺部分を覆う位置の面本体１の内側１ｂと頭部との間に形成された間隙に、装着者の頭部の左右の頬骨又はその周辺部分と接触しないで配置される。
【００２４】
本実施形態によれば、紐状部材３が装着者の頭部の左右の頬骨部分から装着者の後頭部まで巻きつけられて、装着者の頭部に締結されることで、装着者の頭部の形状の影響を受けずに、頭部装着具を装着者の頭部に固定できる。このため、頭部装着具が装着者の頭部から外れたり、位置ズレするのを防止でき、常に安定して頭部装着具を装着者の頭部に保持・固定することができる。
【００２５】
また、本実施形態によれば、構造体２の位置が顔の横幅より内側に存在することとなるため、面本体１と頭部側面との間に生じた空隙の影響を受けることなく、装着者の顔面の一部を除く頭部全周に紐状部材３を巻きつけて頭部装着具を装着者の頭部に固定できる。また、頭部装着具を固定・保持するために必要だった緩衝部材も不要となる。
【００２６】
また、本実施形態によれば、紐状部材３が頭部に締結されたときに構造体２が装着者の頭部の左右の頬骨又はその周辺部分を覆う位置の面本体１の内側１ｂと頭部との間に形成された間隙に装着者の頬に接触しないよう配置される。このため、構造体２が頭部に接触して装着者に痛みが生じるのや、装着者に金属アレルギーが生じるのも避けられ、強固な金属製の構造体３を用いることができる。
【００２７】
なお、各部の具体的構成については上記実施形態に限られるものではなく、本発明の趣旨を逸脱しない範囲で種々変形が可能である。例えば、上記実施形態では、お面を頭部装着具として本発明を適用した場合について説明したが、マスクを頭部装着具として本発明を適用することもできる。
【００２８】
また、上記実施形態では、紐状部材３として紐を用いた場合について説明したが、金属チェーン，皮，ゴムバンド，ベルト等も紐状部材３として用いることができる。また、上記実施形態では、頭部装着具に設けられた構造体２の挿通部２１にそれぞれ紐状部材３の一端を挿通して、紐状部材３を取り付けた場合について説明したが、紐状部材３が構造体２と一体化された構成としても良い。
【００２９】
また、上記実施形態では、構造体２が四角環状（四角リング状）に形成されている場合について説明したが、紐状部材３が挿通される挿通部２１を備えていれば、構造体２の形状は任意である。例えば、構造体２は、図６に示すように円環状に形成されていてもよく、また、フック状に形成されていてもよい。
【００３０】
また、上記実施形態では、面本体１と別体に形成された構造体２に紐状部材３を取り付けた場合について説明した。しかしながら、構造体２は、面本体１と個々の部品ではなく、面本体１の製作過程で構造体２を面本体１と一体に形成してもよい。
【符号の説明】
【００３１】
１    面本体
１ａ  面本体の外側
１ｂ  面本体の内側
２    構造体
２１  挿通部
３    紐状部材
４    緩衝部材
５    紐
【図１】
2015096658.tif 000003
【図２】
2015096658.tif 000004
【図３】
2015096658.tif 000005
【図４】
2015096658.tif 000006
【図５】
2015096658.tif 000007
【図６】
2015096658.tif 000008
【図７】
2015096658.tif 000009
【図８】
2015096658.tif 000010
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
装着者の頭頂部から被られて前記装着者の顔及び頭部の一部を覆い、前記頭部に紐状部材で固定される頭部装着具において、
両側の端部が前記顔の側面まで延びて位置しており、
前記頭部の左右の頬骨又はその周辺部分を覆う位置の内側に、前記紐状部材が取り付けられた構造体が設けられ、
前記頭部の左右の頬骨又はその周辺部分を覆う位置の内側と前記頭部との間には間隙が形成され、
前記構造体は、前記頭部の左右の頬骨又はその周辺部分と接触しないよう前記間隙に配置されていることを特徴とする頭部装着具。
【請求項２】
前記構造体は金属製であることを特徴とする請求項１に記載の頭部装着具。
【請求項３】
前記紐状部材は、前記構造体の挿通部に挿通されて、前記構造体に取り付けられていることを特徴とする請求項１又は２に記載の頭部装着具。
【請求項４】
前記構造体は、前記頭部装着具と一体に形成されていることを特徴とする請求項１〜３の何れかに記載の頭部装着具。
【請求項５】
前記構造体は、環状に形成されていることを特徴とする請求項１〜４の何れかに記載の頭部装着具。
【手続補正２】
【補正対象書類名】明細書
【補正対象項目名】００１４
【補正方法】変更
【補正の内容】
【００１４】
すなわち、本発明に係る頭部装着具は、装着者の頭頂部から被られて前記装着者の顔及び頭部の一部を覆い、前記頭部に紐状部材で固定される頭部装着具において、両側の端部が前記顔の側面まで延びて位置しており、前記頭部の左右の頬骨又はその周辺部分を覆う位置の内側に、前記紐状部材が取り付けられた構造体が設けられ、前記頭部の左右の頬骨又はその周辺部分を覆う位置の内側と前記頭部との間には間隙が形成され、前記構造体は、前記頭部の左右の頬骨又はその周辺部分と接触しないよう前記間隙に配置されていることを特徴とする。
また、本発明は、前記構造体は金属製であることを特徴とする。
また、本発明は、前記紐状部材は、前記構造体の挿通部に挿通されて、前記構造体に取り付けられていることを特徴とする。
また、本発明は、前記構造体は、前記頭部装着具と一体に形成されていることを特徴とする。
また、本発明は、前記構造体は、環状に形成されていることを特徴とする。
【手続補正書】
【提出日】平成27年3月5日(2015.3.5)
【手続補正１】
【補正対象書類名】手続補正書
【補正対象項目名】代理人
【補正方法】削除
【補正の内容】